(57)【要約】【課題】固形分を含む廃液を一つのコンパクトな装置で凝集、沈降及び濾過の一連の処理を行うことにより、装置の据付面積、コストの低減を図り、廃液処理を容易にする。【解決手段】円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から掲水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体上部に接線方向に吐出し、そこに旋回流を引き起こす排出ポンプ（７）とを含んでなる。一体型凝集、沈降及び濾過装置。【選択図】　　　図１
0003097164.tif 000002
【実用新案登録請求の範囲】
【請求項１】
円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から掲水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる。一体型凝集、沈降及び濾過装置。
【考案の詳細な説明】
【０００１】
【考案の属する技術分野】
本考案は固液分離装置に関し、更に詳しくは固形分を含む廃液から簡単な装置で固形分を凝集、沈降及びろ過して分離させる一体型固液分離装置に関する。
【０００２】
【従来の技術】
鉄、ニッケル等の重金属の水酸化物などの固形分を例えば水中に分散又は懸濁状態で含む廃液から固形分を分離するために凝集、沈降、ろ過する操作は従来から広く行われている。しかしながら、これらの装置はシステム全体として大型で建設費や運転コストが高く、しかも広い装置据付面積が必要であり、比較的小規模の装置の開発が望まれている。
【０００３】
【考案が解決しようとする課題】
従って、本考案は簡単な操作で固形分を含む廃液から固形分を凝集、沈降、ろ過して廃液を処理するのに適した単一の比較的コンパクトな一体型固液分離装置を提供することを目的とする。
【０００４】
【課題を解決するための手段】
本考案に従えば、円形沈降槽（１）において、上澄水層域に、水平方向に減速機（９）の駆動力でアーム（８）を介して回転する濾過層を有する濾過ベルト（２）と、その濾過ベルト（２）から離れた上部に、濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる。一体型凝集、沈降及び濾過装置が提供される。
【０００５】
【考案の実施の形態】
固形分を含む廃水の処理法の一つに、廃液を凝集、沈降及びろ過の、一連のシステムで処理する方法がある。
本考案は、これを一体化した、比較的コンパクトな装置を提案するものである。すなわち、上記の三つのプロセスを、一体化することにより、据付面積の減少、製作コストの低減を図り、なおかつ、一体化により、流れの分断も少なくなり、管理点も減少する装置を提案するものである。
【０００６】
本考案に従った一体型固液分離装置の概略について図面を参照して以下に説明する。
本考案の一体型固液分離装置は、円形沈降槽１において、上澄水層域に、水平方向に回転する立体繊維（例えば（株）ユニチカテクノスより市販のキュービックアイ（商標）の各銘柄）等から成る濾過層を有する回転する濾過ベルト２と、その濾過ベルト２から離れた上部に、本装置にて固液分離して得た処理水を入れる処理水槽３からその一部をスプレーポンプ４で加圧し濾過ベルト２の上部から下方向に水中でスプレーして、濾過ベルト２の濾過層を断面の本体任意の一部で洗浄する固定スプレー５を設け、そこを通過した濾過層を洗浄再生し、その濾過層を通過洗浄した液を受けるピット６を上記スプレー５と対で固定設置し、ピット６に入ってきた洗浄固形分を含んだ洗浄液は、ピット６の下部にサクション口を設けた排出ポンプ７により、吸引し、それを沈降槽１の本体中央上部のフィードウエルに、接線方向に吐出し、そこに旋回流を生じさせる。
【０００７】
沈降槽１の本体中央上部のフィードウエルには、処理対象原液と、必要に応じあらかじめ添加してある凝集助剤の入った液も接線方向導入して旋回運動をあたえる。この状態のフィードウエルに前述の洗浄液を接線方向に吐出することにより、フィードウエルは旋回流を得て、固形物（フロック）同士の衝突結合の機会、すなわち、凝集機能を増し、本体下方の沈降分離部に固形物を凝集成長した状態で導入する。
【０００８】
前記沈降分離部では、一般の沈降槽と同様に固形物と上澄水に分離されるが、沈降分離部に移っても穏やかな回転が残り、凝集した固形物は回転下降しながら沈降し、その過程で接触しあった大、小の固形物同士が付着成長し、固形物の沈降速度が増加し、上澄水の清澄化が促進される。この清澄化の進んだ液は、槽周辺に設けた溢流堰に向けて上昇するが、その過程で前述の濾過ベルト２の濾過層で濾過され、更に清澄な処理水を得ることができる。なお、図１において、８は回転アームを示し、９はモータ又は減速機を示し、１０は集泥レーキを示す。
【０００９】
本考案に従った装置の具体的な型式を表Ｉ及び表ＩＩに示す。
【００１０】
【表１】
0003097164.tif 000003
【００１１】
【表２】
0003097164.tif 000004
【００１２】
以上説明した本考案に従えば、凝集機能を有したフィードウェルで旋回凝集成長したクロックは分離性が増しており、沈降性が改善されているうえ、本装置は簡易濾過機構を有しており、処理水のＳＳを平均１０ｐｐｍ以下にすることが可能であり、また例えばＣａ（ＯＨ）２　でｐＨ調整した処理対象水を用いると、一般のクラリファイヤーの同一分離面積（１ｍ３　／ｍ２　・ｈｒ）に対して、３〜５倍の能力を発揮することができる。
【００１３】
【考案の効果】
以上の通り本考案によれば、凝集機能はもとより、上澄水を簡易濾過する機能を内蔵した、集泥レーキを備えた高性能で、コンパクトな凝集沈殿ろ過装置が得られる。この装置は、本体内に、フロックを旋回流で成長させる機構を有しており、フロック同士が衝突し会い、微細フロックを吸着除去し、水の清澄度を向上するポリシュアップ効果も有り、更に、本装置は、清澄水ゾーンに濾過ベルトを有しており、沈降し切れなかった微少なフロックもそこで、濾材に接触補足されるため、一般の沈降槽の処理水に優るとも劣らない清澄な処理水を１／３〜１／５の分離面積で得ることができる。
【図面の簡単な説明】
【図１】本考案の一体型固液分離装置の一例を示す図面である。
【符号の説明】
１…円形沈降槽
２…濾過ベルト
３…処理水槽
４…スプレーポンプ
５…固定スプレー
６…ピット
７…排出ポンプ
８…回転アーム
９…モータ又は減速機
１０…集泥レーキ
【図１】
0003097164.tif 000005
【手続補正書】
【提出日】平成15年5月7日(2003.5.7)
【手続補正１】
【補正対象書類名】明細書
【補正対象項目名】請求項１
【補正方法】変更
【補正の内容】
【請求項１】
円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から揚水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる。一体型凝集、沈降及び濾過装置。
【手続補正２】
【補正対象書類名】明細書
【補正対象項目名】０００４
【補正方法】変更
【補正の内容】
【０００４】
【課題を解決するための手段】
本考案に従えば、円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から揚水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる。一体型凝集、沈降及び濾過装置が提供される。




【手続補正書】
【提出日】平成15年5月16日(2003.5.16)
【手続補正１】
【補正対象書類名】明細書
【補正対象項目名】請求項１
【補正方法】変更
【補正の内容】
【請求項１】
円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から揚水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる、一体型凝集、沈降及び濾過装置。
【手続補正２】
【補正対象書類名】明細書
【補正対象項目名】０００４
【補正方法】変更
【補正の内容】
【０００４】
【課題を解決するための手段】
本考案に従えば、円形沈降槽（１）において、上澄水層域に、水平方向に減速機（９）の駆動力でアーム（８）を介して回転する濾過層を有する濾過ベルト（２）と、その濾過ベルト（２）から離れた上部に、本装置にて処理して得た処理水の一部を直接又は処理水槽（３）から揚水するスプレーポンプ（４）により濾過ベルト（２）の上から下方向に水中でスプレーして濾過層を洗浄する固定スプレー（５）と、その濾過層（２）、を通過した洗浄液を受けるピット（６）と、ピット（６）に入った洗浄液を、ピット（６）下部のサクション口から吸引排出し、その液を沈降槽（１）の本体中央上部に接線方向に吐出し、そこに旋回流を引き起こす排出ポンプ（７）とを含んでなる、一体型凝集、沈降及び濾過装置が提供される。